(57)【特許請求の範囲】
【請求項１】
その両端部又はその近傍に入口ポート及び出口ポートを有する細長い筒状ダクトと、前記ダクトの軸線に沿って延長する細長い光源と、前記入口ポートと前記出口ポートの間で前記ダクトの内壁に沿って螺旋状に延長するガイドベーンとからなり、前記ベーンによって画定される流体の流路の隣接する各ターンの間を連絡する開口が前記ガイドベーンに形成されていることを特徴とする流体処理装置。
【請求項２】
前記ガイドベーンの開口が放射方向に延長するスロットからなることを特徴とする請求項１記載の流体処理装置。
【請求項３】
前記ガイドベーンの放射方向に内側の縁端部が、前記光源より放射方向外側に位置するように設けられていることを特徴とする請求項１又は２記載の流体処理装置。
【請求項４】
前記ダクトの内壁上に配設され、かつ螺旋状の前記ガイドベーンの前記開口を通過する流体の流れを促進するように構成された概ね長手方向に延長するベーンを備えることを特徴とする請求項１乃至３のいずれか記載の流体処理装置。
【請求項５】
前記螺旋状ガイドベーンが、前記ダクトの壁面に螺旋状線に沿って形成された一連のスロットのそれぞれに挿入される複数のベーンセグメントからなることを特徴とする請求項１乃至４のいずれか記載の流体処理装置。
【請求項６】
前記各ベーンセグメントが、挿入前に、組立てられた時に螺旋を画成するように予め形成されていることを特徴とする請求項５記載の流体処理装置。
【発明の詳細な説明】
技術分野
本発明は、流体の処理に関し、より詳細にいえば水又は汚水を殺菌するためのシステムに関するが、これに限定されるものではない。
背景技術
未処理の汚水が海や川に流されることが良くある。この汚水には、肝炎のような有害な微生物やバクテリアが含まれていることがあり、食物連鎖に入り込んだり、汚染された水と接触する人に伝えられる可能性がある。
高輝度紫外（UV）光が、水を殺菌するのに使用することができる殺菌能力を有することは良く知られている。UV飲料水殺菌装置は、水の全部が有効に処理されないことから、水処理会社ではあまり使用されていない。これは、従来の紫外（UV）光流体処理装置が、処理される流体が光学的に透明な場合にのみ有効に作動するために起こるのである。例えば、処理される流体が不透明であったり酷く汚濁している場合には、光源に極めて接近した位置から離れると紫外光が大幅に逓減し、紫外光源に極めて接近した位置まで来ない細菌のかたまりは、それらを殺すのに十分な紫外線の放射を受けない。更に、細菌は集まってかたまりになる傾向があり、そのためにかたまりの中心付近の細菌は、そのかたまりの外側の細菌によって紫外光から遮られることになる。
発明の開示
そこで、本願発明者は、上述した従来の問題点を解消する流体処理装置を考案した。
本発明によれば、その第１の側面において、その両端部又はその近傍に入口ポート及び出口ポートを有する細長い筒状ダクトと、前記ダクトの軸線に沿って延長する細長い光源と、入口ダクトと出口ダクトの間で前記ダクトの内壁に沿って螺旋状に延長するガイドベーンとからなり、前記ベーンによって画定される流体の流路の隣接する各ターンの間を連絡する開口が前記ガイドベーンに形成されている流体処理装置が提供される。
使用の際に、処理される流体は前記ダクトの中を螺旋状の通路に沿って入口ポートから出口ポートへと流れる。この螺旋状の流れによって、処理される水又は他の流体の全部が処理時に確実に光源と極めて接近した位置に来るような制御された乱流が生じる。前記通路に沿って流れる流体は、螺旋状通路の隣接する各ターン（turn）の間に設けられた開口を通過することができる。細菌のかたまりは、前記開口を通過する際に、より有効に処理することができる個々の細菌に分散する。
前記ガイドベーンに設けられた開口が、放射方向に延長するスロットからなり、それによってこれらのスロットを流れる流体が光源から遮られないようになっていると好都合である。
第２の流体流路が、前記ダクトに沿って前記光源と前記ガイドベーンの放射方向に内側の縁端部が、前記光源より放射方向外側に位置するように設けられていると好都合である。
前記入口ポートと出口ポートとの間を流れる流体は、従って前記ガイドベーンの放射方向内側縁端部と前記光源との間を前記ダクトの軸線方向に流れることが可能である。この軸線方向の流れが前記螺旋状の流れと干渉して、前記ダクトに沿って螺旋状に移動する流体の渦流を生じさせる。この渦流作用によって、前記ダクト内部の乱流が更に増加して、前記水を制御された二重螺旋動作で動かす。
実質的に長手方向に延長するベーンが、前記ダクトの内壁上に配置され、前記ヘリカルガイドベーンの開口を通過して流体が流れるのを促進するようになっていると好都合である。
好適には、前記ヘリカルガイドベーンは、前記ダクトの壁の螺旋状の線に沿って一連のスロットを切り込み、かつ前記壁の各スロット内に前記ベーンの個々のセグメントを挿入することによって形成される。
個々の前記ベーンセグメントが、その挿入前に、組立てられた時に前記セグメントが螺旋を画成するように予め形成されていると好都合である。
従来の紫外光流体処理装置の別の欠点は、紫外線ランプの前方に蓄積するスライムや他の廃棄物を除去するために、定期的に掃除しなければならないことである。通常、紫外線ランプは、ガラス壁によって流体から分離されているので、該ガラスを自動的に掃除するワイパ機構を設けることが提案されている。このワイパ機構は複雑でありかつ保守が困難である。
また、ポリテトラフルオロエチレン（PTFE）で形成された壁を設けて、前記紫外線ランプを汚水から分離することが提案されている。PTFEは非粘着性（non−stick properties）を有し、それによって紫外線ランプの前方にスライム及び廃棄物が蓄積するのを抑制する。PTFEは、特に殺菌性を有する波長（245〜265nM）の紫外光を透過させるが、紫外光の大部分はPTFEによって吸収される。この紫外光の吸収性は、壁の厚さを減らすことによって小さくすることができる。しかしながら、PTFEは柔軟な材料であることから、前記壁は、流体処理チャンバ内の高圧に耐えるために厚くする必要がある。そこで、本発明によれば、その第２の側面において、処理される流体のための流路と、透明壁を介して前記流路内の流体に光を放射する光源とからなり、前記透明壁が、該透明壁によって支持された比較的低接着性材料の層によって前記流体から分離されている流体処理装置が提供される。
比較的低接着性（adherence−resisitant）又は非粘着性の材料からなる前記層によって、スライム及び廃棄物が透明壁に蓄積するのが防止される。前記透明壁自体が、前記流路の流体圧力に耐えうる十分な剛性を有すると好都合である。前記透明壁はガラス材料で構成することができる。前記ガラス材料が特に合成を有する石英ガラスであり、それによって前記ガラスによる光の吸収を減らすために壁の厚さを最小にできると好都合である。
前記非粘着性材料の層が、溶射（spraying）によって前記透明壁に設けられると好都合である。
前記光源が、前記流体通路の中に延長する透明スリーブ内に設けられていると好都合である。
前記非粘着性材料の層は、該非粘着性材料のチューブを透明スリーブの上に嵌め込むことによって、該透明スリーブに設けることができる。
前記非粘着性材料のチューブが、前記スリーブの上に被覆し直す熱収縮性チューブからなると好都合である。
流体に乱流を生じさせるために、前記流体通路の内部にベーンが設けられていると好都合である。この流体の乱流は、前記非粘着層の表面に蓄積する虞れがある全ての物質を除去する洗浄作用を生じさせる。
前記非粘着層の膜厚は15〜150nMであることが好ましい。前記非粘着層が、PTFEのようなシリコンフルオロカーボン重合体からなると好都合である。
水は、炭酸カルシウム、マグネシウム、又は鉄化合物のような塩及び無機物が溶解していることがある。これらの塩及び無機物は溶解状態から析出することがあり、パイプやタンク等の壁にデポジットとして蓄積することがある。この所謂硬水は、パイプやタンク等の壁に付着する塩及び無機物の量を減らすために、様々な方法で処理することができる。或る型式の軟水装置は、磁界又は静電界を形成する装置からなり、それが溶解している塩及び無機物に作用して、それらが通常の硬い最密スケールとしてではなく柔らかいスラッジとして析出するように、規則的な結晶格子構造を形成するのを防止する。また、前記スラッジは、既存のスケールと結合して、分散したり水をろ過する際に除去することができる大きい分子の柔らかいスケールを形成する。
上述したように、硬水を処理するために静電界を用いることが提案されているが、従来の静電形水処理装置は、様々な欠点を有し、かつ有効に機能しなかった。そこで、本発明によれば、その第３の側面において、流体が流れるためのダクトと、前記ダクトに静電界を加えるための手段とからなり、前記静電界の強度が前記フローダクトの長さに沿って変化することを特徴とする流体処理装置が提供される。
塩及び無機物が溶けている水の中から析出する速度は、それに作用する静電界が変化する場合に大幅に増大する。
前記静電界が、２個の離隔された電極間で形成されると好都合である。
前記流体処理装置が、筒形の外側電極とその軸線に沿って延長する内側電極とからなると好都合である。前記外側電極が前記ダクトの側壁を形成すると好都合である。
使用時には、放射方向に延長する静電界が形成されるように、前記２個の電極の間に高い電圧を印加する。従って、前記ダクトの中を流れる水全部が前記静電界の作用を受ける。
流体が前記２個の電極間に導電路を形成しないように、一方の前記電極が流体から絶縁されていると好都合である。
前記静電界の密度が、前記２個の電極間の間隔を変化させることによって変化すると好都合である。前記内側電極の表面が、前記電極間の放射方向の距離が前記フローダクトの長さに沿って変化するように成形されていると好都合である。別の実施例では、前記外側電極の内面を成形することができる。
成形された前記電極面によって、前記フローダクトの長さに沿って密度が変動する静電界が得られると好都合である。好適には、変動する前記静電界は、電極面に環状の隆起部又は溝を形成することによって得られる。
磁界が水に対して静電界と同様の効果を有することは知られているが、公知の型式の磁気軟水装置の欠点は、水の流れに対して直角に延長する磁界の位置にある溶解無機物にのみ作用することである。従って、コイル又は棒磁石を用いた場合には、外棒磁石又はコイルの各端部においてのみ前記作用が生じる。従来、磁気軟水装置は比較的非効率的なものであった。そこで、本発明によれば、その第４の側面において、流体のフローダクトと、前記ダクトを横切る横方向の磁界を形成するための手段とからなり、前記磁界の方向が前記ダクトの長さに沿って変化する流体処理装置が提供される。
前記ダクトに沿って流れる流体は、流れの方向に直交して延長する磁界に曝露される。流体中に溶解している塩及び無機物は、溶解状態から析出する。この作用効果は、前記ダクトの軸線に沿って前記磁界の方向が変化することによって加速される。これは、流体内の粒子にスピン回転を生じさせる。
前記磁界の方向が、前記チューブの軸線に沿って少なくとも360度に亘って変化すると好都合である。
前記流体処理装置が、前記ダクトの半径方向対向位置に配置された正負両極の磁石対と、前記ダクトの軸線に沿って配設された複数のこのような磁石対とからなり、前記各磁石対によって形成される磁界の方向が隣接する磁石の磁界からずれていると好都合である。
前記磁石が電磁石からなると好都合である。好適には、前記ダクトの壁部は、非磁性材料、例えばステンレス鋼によって形成される。
前記磁界の方向が前記ダクトの長さに沿って螺旋状に旋回するように、連続する前記磁石対が、隣接する前記磁石対から90度以下の範囲でずれていると好都合である。
静電・磁気式流体処理装置の欠点は、微生物及びバクテリアを殺す点において効果が無いことである。従って、本発明によれば、その第５の側面において、流体のフローダクトと、前記ダクト内の流体に印加される静電界及び／又は電磁界を発生させるための手段と、前記ダクト内の流体に前記静電界及び／又は電磁界の下流側で紫外光を照射するための紫外光源からなる流体処理システムが提供される。
使用時には、流体を紫外光に曝露する前に静電界及び／又は電磁界に曝露した時、相乗的な生物死滅効果（kill effect）が生じる。この効果は、静電界及び／又は電磁界が、微生物の膜又は細胞壁に干渉することによってその栄養素を吸収する能力が低減するために生じると考えられる。これは、微生物を相当に弱らせ、紫外線に対してより敏感にさせる。
オゾン（O3）が塩素のように殺菌能力を有することは良く知られている。オゾンは、空気中の酸素（O2）に紫外光を作用させることによって、大気中で生成される。しかしながら、オゾンは、乾燥空気の酸素中で電気的なコロナ放電を生じさせることによって、人工的に生成することもできる。このコロナ放電には、酸素の共有結合を切るのに十分なエネルギーを有し、それによって自由酸素（Ｏ）ラジカルが形成される。この自由酸素ラジカルが再結合して、所謂活性化されたオゾンを形成する。この活性化されたオゾンは、酸化剤として使用することができる。このコロナ放電技術の欠点は、特定の量の酸化ガスを生成するために使用されるエネルギーの量を考慮した時、効率が悪いことである。別の欠点は、コロナ放電によって、抑制する必要がある混信を生じることである。そこで、本発明によれば、その第６の側面において、空気または酸素及び水をそれぞれ受取るための入口部と、前記空気又は酸素内の水を蒸気化するための手段と、前記蒸気を短波長紫外線に曝露するための手段とからなる酸化ガス発生装置が提供される。
短波長の紫外線には、水の中の酸素−酸素結合及び酸素−水素結合を切断し、かつ水素自由ラジカル、水酸基及びオゾンを形成するのに十分なエネルギーが含まれている。従って、結果物であるガスは、水素（Ｈ）と水酸基（HO）自由ラジカルとオゾン（O3）とからなる。このガスは、結果的に高い酸化能力を有する。
前記短波長紫外線の波長が100〜200nMであると好都合である。
好適には、前記蒸気を短波長放射線に曝露するための手段が、出力する実質的に全部の放射線が100〜200nMであるように調整した水銀アーク放電ランプからなる。一般に低圧水銀アークランプは、その生成する放射線の概ね全部が紫外スペクトルの最小値即ち254nMで、非常に僅かの短波長紫外線を生成する。水銀アーク紫外線ランプの出力は、ランプ表面温度によって不利な影響を受ける。紫外線の波長は、前記ランプの表面温度が増加すると下がる。従って、作られる放射線の波長は、ランプの表面温度を制御することにより調整することができる。前記ランプの出力波長が、前記ランプの表面温度を上げるために前記蒸気を加熱することによって調整されると好都合である。また、前記蒸気を加熱することによってその湿度が上昇し、それによってより多くの水が紫外線に曝露される。
前記ランプは、その使用温度を上げるために、その指定使用温度より大きい電流で駆動すると好都合である。従って、前記水蒸気によって生じる加熱効果と高い使用電流との組合せによって、前記ランプが出力する概ね全部の放射線が184nMになる。
その両端に入口ダクト及び出口ダクトを有するフローダクトに沿って軸線方向に水銀放電管が延長していると好都合である。
上述したように、オゾン（O3）が、十分に長い時間即ち２〜10分に亘ってオゾンに曝露された微生物の細胞壁又は膜を酸化することによって作用する殺菌能力を有することは良く知られている。しかしながら、安定した化学薬品である塩素と異なり、オゾンは水の中で約25分間しか活性を有しない。従って、オゾンがこの時間内に微生物と接触しない場合には、効果がない。このため、従来のオゾン水処理装置は、再循環式のシステムにより適している。そこで、本発明によれば、その第７の側面において、流体のフローダクトと、前記ダクト内の流体に紫外光を放射するための紫外光源と、前記紫外光源の下流側で前記流体に酸化ガスを導入するための手段とからなる流体処理システムが提供される。
使用時には、生物上及び酸化作用の観点から、生物死滅能力が増大し、かつ流体中の化学物質の結合を切る能力が向上するという結果が得られる相乗効果が生じる。極めて有効な流体処理システムは、流体を静電界及び／又は電磁界に曝露した後、オゾンのような酸化ガスに曝気する前に紫外光に曝露した場合に形成される。また後者によって、流体中に短寿命の残留殺菌作用が残る。
これら３つの処理を組合わせることによって、結合を切ること及び酸化の相乗効果が生まれる。静電界及び／又は電磁界によって、溶解している幾つかの固体の析出が始まる。紫外線飲料水殺菌装置は、化学結合を切ることによって化学反応に寄与し、かつオゾン発生器は流体中のあらゆる化学物質の結合を切りかつ酸化させる作用を続ける。最終的に得られる結果は、例えば水及び排水のための効果的な汚染除去システムと共に極めて有効な生物殺菌装置である。
食物の準備に関係する区域では、温度を制御した環境が必要である。これは、通常その区域の周囲に冷たい空気を送ることによって達成される。この空気は一般に再循環され、このためにますます微生物で汚染されることになる。熱風式ハンドドライヤは、バイ菌の再循環に類似した問題を有する。そこで、本発明によれば、その第８の側面において、空気の流れを生じさせるための送風手段と、前記空気の流れに紫外線を照射するための手段とからなる空気殺菌装置が提供される。
従って、紫外線が、送風器を通って流れる空気を殺菌する作用を有する。即ち、食物を準備する区域では、微生物の全部を死滅させるように、再循環させた空気を前記システムを介して引き出すことができる。
ハンドドライヤの場合には、該ドライヤからの熱風が殺菌されるように、内蔵する送風器の前方又は背後に紫外線の放射源を配置することができる。前記ハンドドライヤには、該ドライヤが配置されている部屋を殺菌した空気で換気するために、周期的に前記送風器及び照射手段を作動させるための手段を組み込むことができる。これは、例えば公衆便所において、微生物汚染のレベルを低く維持するのに役立つ。
密閉されたタンクに空気を充填したり空にするような生物的に敏感なプロセスでは、該タンクから流れる空気が生物的に清浄であることが重要である。これは、本発明による空気殺菌システムを前記タンクの通気ダクトに接続することによって達成することができる。
好適には、紫外線の波長は主に245〜265nMで、特に253.7nMである。253.7nMの紫外線は、特にオゾンで汚染された空気中のオゾンを酸素に変えるのに有用である。
【図面の簡単な説明】
以下に、添付図面を参照しつつ実施例を用いて本発明を詳細に説明する。
第１図は、本発明による水処理システムの実施例を示すブロック図である。
第２図は、第１図のシステムの静電形水処理装置の断面図である。
第３図は、第２図の装置の長さに沿ってフラックス密度の変化を示す線図である。
第４図は、第１図のシステムの紫外線水処理装置の実施例を示す縦断面図である。
第５図は、第４図のＶ−Ｖ線における断面図である。
第６図は、第１図のシステムの紫外線水処理装置の別の実施例を示す縦断面図である。
第７図は、第１図のシステムの酸化ガス発生装置のブロック図である。
第８図は、水銀アーク放電ランプの波長対強度を示す線図である。
第９図は、第１図のシステムの別の実施例に使用される磁気式水処理装置を示す断面図である。
第10図は、第９図の磁気式水処理装置の概略構成図である。
発明を実施するための最良の形態
添付図面において、第１図には、ダクト13によって紫外（UV）光水処理装置11に接続された静電形水処理装置10からなる水処理システムが示されている。紫外光水処理装置11はダクト14によって、発生器15が生成する酸化ガスで前記ダクト内の水を曝気する装置12に接続されている。
使用時には、水が静電形水処理装置10の中を通り、ダクト13を通って紫外光水処理装置11に入り、その中を流れる。紫外光水処理装置11を出てダクト14を通過する水は、発生器12からの酸化ガスに曝気される。
第２図において、静電形水処理装置10は、導電材料で形成された筒状ダクト20を備える。ダクト20は、その両端が端壁21、22で閉塞されている。入口ポート23が、ダクト20の一方の端部近傍から放射方向に突出している。紫外光水処理装置11に接続された排出ダクト13は、ダクト20の反対側の端部で端壁22から軸線方向に突出している。円筒状のプローブ装置25が、締まりばめとして筒状ダクト20の自由端部の内部に挿入されている。細長いプローブ26がプローブ装置25から突出し、端壁21の開口を貫通している。プローブ26は、薄肉ガラスの絶縁スリーブ28内部にシールされた細長い金属電極27を備える。絶縁体としてプラスチックではなくガラスを用いるのは、プラスチックは時間の経過と共に劣化する傾向があるからである。電極27は、前記装置から全く水が抜けることなくスリーブ28から引き出すことができる。
電極27は、その長さに沿って形成された一連のＶ字型環状スロット28を有する。プローブ26は、ダクト20から絶縁されるようなやり方でプローブ装置25により支持されている。電力ケーブルは、プローブ装置25に入り、かつ内側電極27とダクト20（外側電極を形成する）とにそれぞれ接続するワイヤ15、16を備える。
使用時には、ワイヤ15、16が10KV〜20KV電源の正負の端子にそれぞれ接続される。この高圧電源によって、前記内側及び外側電極間に放射方向に延びる静電界が形成される。第３図において、前記内側電極上のＶ字型スロット29が、前記静電界のフラックス密度を前記ダクトの長さに沿って変化させる。前記ダクトの中を流れる水は、変化する静電界の影響を受け、それによって塩及び無機物を溶解状態から柔らかいスラッジの形で析出させる。前記静電界が変化することによって、析出プロセスの速度が大幅に増大する。
別の実施例では、前記プローブを、例えば電気泳動又はほうろう引きを用いてガラスで被覆した電極で構成することができる。
静電形水処理装置10の外側ダクト13から流れる水は、紫外光水処理装置11に入る。第４図及び第５図において、紫外光水処理装置11は、ステンレス鋼で形成され、かつその両端に入口ダクト13及び出口ダクト14が取付けられた細長い筒状ダクト30を備える。細長い紫外線ランプ31が、ダクト30の軸線に沿って延長する石英ガラススリーブ32の内部に取付けられている。スリーブ32は、その両端部が筒状ダクト30の端壁にシールされ、それによって使用時には、処理される水がランプ31の表面から絶縁される。
ガイドベーン33がダクト30の内壁上に配設されて、前記装置の中を水が流れるようにしている。ガイドベーン33は、入口ダクト13と出口ダクト14との間で前記ダクトの内壁に螺旋状に巻装された放射方向内向きに突出する壁からなる。ガイドベーン33には、その長さに沿って一定間隔でスロット34が放射方向に形成されている。スロット34は5mm幅が好ましい。
ガイドベーン33は、ダクト30の壁面の螺旋状の線に沿って一連のスロットを切削加工することによって形成される。次に、前記スロットと同じ長さに切断された小さい矩形の金属片をその両端部で正確にねじって、前記ベーンセグメント35を形成する。セグメント35を形成するのに使用される金属片の結晶（grain）によって、前記金属片を正しい形状に成形し易くなる。次に、成形された前記金属片を、ダクト30の壁に切設された前記スロット内に挿入し、所定位置に溶接する。ガイドベーン33の放射方向内側縁端部は、ダクト30の軸線と平行に延長する石英ガラススリーブ32の外面から離隔されている。
複数の細長いベーン36をダクト30の内壁に軸線方向に取付ける。細長い各ベーン36の下流側の端部は、螺旋状のガイドベーン33に向けてその隣接するスロット34近傍に収束している。
使用時には、水がダクト30に沿って入口ダクト13から出口ダクト14に向けて流れる。ガイドベーン33は、基本的に水路となって水が紫外線ランプ31の周囲を螺旋状に流れるように作用する。しかしながら、柱状の水が前記ダクトに沿ってガイドベーン33の内方縁端部と石英ガラススリーブ32の外面との間の空間を軸線方向に流れる性質がある。これら２つの水の流れが相互作用して、矢印Ｈで示されるように、前記ダクトに沿って螺旋状に動く渦流Ｓが形成される。この水の二重螺旋流によって、ダクト30の中を流れる水の全部が、前記装置の中を通過する間のいずれかの時点で紫外線ランプ31と極めて接近することになる。従って、水の中の全部のバクテリア又は細菌が、ランプ31から致死量の紫外線を受ける。
更に、前記水の渦流の遠心作用によって、細菌又はバクテリアの全ての大きなかたまりは渦流Ｓの外側に押し出される。ガイドベーン33のスロット34によって、少量の水が螺旋状通路の隣接する各ターンの間を流れることができる。これによって、前記渦流の外側にある細菌及びバクテリアは、強制的にスロット34を通過させられる。ベーン36は、スロット34の間の水の流れを促進する作用を有する。細菌及びバクテリアのかたまりは、スロット34の一方の側の高圧領域から該スロットの反対側の低圧領域に移動する際に、個々のバクテリア及び細菌にばらばらにされる。このように分散させることによって、細菌が他の細菌によって紫外光から遮られるのを防止する。孔ではなくスロット34がベーン33に用いられることによって、前記ダクトの内部には紫外光を遮るものがない。
第６図には、紫外光水処理装置の別の実施例が示されており、類似の部分には同じ参照符号が使用されている。この実施例では、石英ガラススリーブ32がPTFEの層37で被覆され、それによって処理される水が石英ガラススリーブ32の表面から絶縁されている。
使用時には、水がダクト30に沿って入口ダクト13と出口ダクト14との間を流れる水の乱流によって、前記スリーブの被覆面上に蓄積する虞がある全ての物質を除去する洗浄作用が生じる。光を発することによって水の中の微生物が殺され、水を安全に海や川へ流すことができる。更に、PTFE層37は、水の中の鉄やマンガンが石英ガラススリーブ32と反応するのを防止する。このような反応が起こると、前記石英ガラススリーブの透明度が低下する。
紫外光水処理装置11からの出口ダクト14は、水を酸化ガスで曝気する装置12に接続されている。第７図において、酸化ガス発生器15は、空気供給源40と水供給源41とを備える。空気と水とは噴霧チャンバ42内で混合されて、加湿された空気を生成し、それがノズル43を介してマニホールド44内に供給される。マニホールド44は、前記空気をその湿度を増すために加熱する加熱要素45を備える。前記加湿空気は、その軸線に沿って延長する水銀アーク紫外線ランプ47を有する細長い筒状チャンバ46の中に供給される。
紫外線ランプ47は、その指定使用電流より大きい電流で駆動されて、その表面温度を上昇させる。
第８図において、零点温度が45℃の場合には、紫外線ランプ47は、その大部分が254nMで僅かに184nMの放射線を出力する。しかしながら、加熱された加湿空気が紫外線ランプ47の周囲を流れると、その零点が65〜70℃に上昇する。この温度では、前記紫外線ランプは、その大部分が184nMで僅かに254nMの放射線を出力する。前記加熱要素の温度及び／又は紫外線ランプの電流は、前記紫外線ランプの表面温度が一定のレベルに維持されるように、サーモスタット48が制御する。
短波長紫外線を放射することによって、空気中の酸素（O2）の共有結合が切断される。しかしながら、この放射線には、水の中の酸素−水素結合を切断するのに十分なエネルギーが含まれていることによって、水素（Ｈ）及び水素基（HO）自由ラジカルが形成される。酸素−水素結合を切るのに必要なエネルギーは、185nMにおける紫外線ランプからのエネルギー出力が154.5Kcal/gmolであるのに対して、117.5Kcal/gmolである。
チャンバ46から出てくる結果物のガスは、水素及び水素基の自由ラジカルと空気とオゾンとからなる。このガスは、結果的に、オゾンと自由ラジカルとによる高い酸化能力を有する。このガスは、前記ダクト内で水を曝気する装置12に接続される。
第１図に示すように接続された３つの装置の効果が結合されることによって化学汚染物を破壊しかつ溶解している固体を除去する能力の増強と共に、相乗的な生物死滅効果が得られる。
第９図には、非磁性ステンレス鋼で形成される円形断面の流体フローダクト50が示されている。ダクト50の半径方向に対向する両側には、一対の電磁石51a、51bが取付けられている。電磁石51a、51bは、ダクト50の外面に溶接された軟鉄コアからなる。
このような複数の電磁石52、53、54が、45度ずつ位置をずらして、ダクト50の軸線に沿って一定間隔で対をなして配設されている。
第10図において、電磁石51、52、53、54は、直流電源55に接続されている。対向する電磁石例えば51a、51bの間にＮ−Ｓ磁界が形成されるように、コイルが直列に接続されている。
従って、ダクト50に沿って軸線方向に流れる水は、前記装置の端部から端部まで360度に亘って効果的に回転する磁界に曝露される。この回転によって、水の中の粒子がスピン回転を生じ、それによって水の中の塩及び無機物がより速い速度で析出する。
【図１】
0003557575.tif 000002
【図８】
0003557575.tif 000003
【図２】
0003557575.tif 000004
【図３】
0003557575.tif 000005
【図４】
0003557575.tif 000006
【図５】
0003557575.tif 000007
【図９】
0003557575.tif 000008
【図６】
0003557575.tif 000009
【図７】
0003557575.tif 000010
【図１０】
0003557575.tif 000011